(57)【要約】【課題】導電性のカバーを使用しながらも安全性を確保することができる筐体、表示装置及び浴室を提供する。【解決手段】筐体は表示部（電気機器）を収納している。表示部に含まれる金属製のシャーシ５に、筐体を構成する金属製の後カバー（カバー）４が後側からビス４１で固定される。シャーシ５はビス４１が螺入されるボス５１を有している。ボス５１と後カバー４との間並びに後カバー４とビス４１との間には絶縁部材が配置されており、この結果、後カバー４はシャーシ５から絶縁されている。表示装置１が取り付けられた浴室の建材へシャーシ５から後カバー４を通じてノイズが流れることは無い。また、ビス４１の頭は、後カバー４の後面から後方へは突出していない。ビス４１の頭が建材に接触することは無いので、ビス４１を通じて建材へノイズが流れることは無い。【選択図】図６
2016009756.tif 000002
【特許請求の範囲】
【請求項１】
電気機器を収納するための筐体において、
前記電気機器の一側を覆うための導電性のカバーを備え、
該カバーは、前記電気機器と絶縁した状態で、前記電気機器にビスで固定されるように構成してあること
を特徴とする筐体。
【請求項２】
前記カバーと前記電気機器との間を絶縁する第１絶縁部材と、
前記カバーと前記ビスの軸との間を絶縁する第２絶縁部材と、
前記カバーと前記ビスの頭との間を絶縁する第３絶縁部材と
を更に備えることを特徴とする請求項１に記載の筐体。
【請求項３】
前記ビスは絶縁性であり、
前記カバーと前記電気機器との間を絶縁する絶縁部材を更に備えること
を特徴とする請求項１に記載の筐体。
【請求項４】
前記カバーの前記ビスが取り付けられる部分は、前記カバーの外面よりも内側へ突出しており、
取り付けられた前記ビスの頭が前記カバーの外面よりも外側へ突出していないこと
を特徴とする請求項１から３までのいずれか一つに記載の筐体。
【請求項５】
映像を表示する表示部と、
該表示部を収納する請求項１から４までのいずれか一つに記載の筐体と
を備えることを特徴とする表示装置。
【請求項６】
請求項１から４までのいずれか一つに記載の筐体を壁に取り付けてあることを特徴とする浴室。
【発明の詳細な説明】
【技術分野】
【０００１】
本発明は、浴室に電気機器を設置するための筐体、表示装置及び浴室に関する。
【背景技術】
【０００２】
テレビジョン受像機として使用される薄型の表示装置には、壁に固定されて使用されるものがある。特許文献１には、壁掛け具を取り付けた表示装置が開示されている。ところで、表示装置の使用方法として、浴室で使用されることが提案されている。浴室で使用される表示装置には、防水のために、映像を表示する表示部の前後を覆う前カバー及び後カバーからなる筐体を備えるものがある。
【０００３】
表示装置が浴室の壁に埋め込んで使用される場合は、筐体の後カバーは壁の建材の一部をなす。後カバーには建材としての強度が必要であるので、後カバーは金属製であることが多い。また、後カバーは表示装置内のシャーシにビスで連結されていることが多く、通常、後カバーとシャーシとは電気的に導通している。
【先行技術文献】
【特許文献】
【０００４】
【特許文献１】特開２０１３−４２１０３号公報
【発明の概要】
【発明が解決しようとする課題】
【０００５】
しかしながら、後カバーとシャーシとが導通している表示装置では、雷等の原因でアンテナ線を通じて高電圧ノイズが表示装置へ侵入した場合、ノイズはシャーシへ流れ、シャーシから後カバーへも流れることになる。この結果、後カバーから浴室の構造物へノイズが流れ、入浴中の使用者に影響を及ぼす虞がある。このため、安全上問題であった。特許文献１に開示された表示装置では、シャーシと後カバーとの間が絶縁されているものの、後カバーは合成樹脂製であるので、金属製の後カバーを使用した表示装置の問題を解決することはできない。
【０００６】
本発明は、斯かる事情に鑑みてなされたものであって、その目的とするところは、導電性のカバーを使用しながらも安全性を確保することができる筐体、表示装置及び浴室を提供することにある。
【課題を解決するための手段】
【０００７】
本発明に係る筐体は、電気機器を収納するための筐体において、前記電気機器の一側を覆うための導電性のカバーを備え、該カバーは、前記電気機器と絶縁した状態で、前記電気機器にビスで固定されるように構成してあることを特徴とする。
【０００８】
本発明に係る筐体は、前記カバーと前記電気機器との間を絶縁する第１絶縁部材と、前記カバーと前記ビスの軸との間を絶縁する第２絶縁部材と、前記カバーと前記ビスの頭との間を絶縁する第３絶縁部材とを更に備えることを特徴とする。
【０００９】
本発明に係る筐体は、前記ビスは絶縁性であり、前記カバーと前記電気機器との間を絶縁する絶縁部材を更に備えることを特徴とする。
【００１０】
本発明に係る筐体は、前記カバーの前記ビスが取り付けられる部分は、前記カバーの外面よりも内側へ突出しており、取り付けられた前記ビスの頭が前記カバーの外面よりも外側へ突出していないことを特徴とする。
【００１１】
本発明に係る表示装置は、映像を表示する表示部と、該表示部を収納する本発明に係る筐体とを備えることを特徴とする。
【００１２】
本発明に係る浴室は、本発明に係る筐体を壁に取り付けてあることを特徴とする。
【発明の効果】
【００１３】
本発明にあっては、筐体内の電気機器とカバーとの間が絶縁されているので、電気機器から高電圧ノイズがカバーを通じて流れて使用者に影響を及ぼすことは無い。従って、金属製のカバーを使用しながらも使用者の安全が確保されている等、本発明は優れた効果を奏する。
【図面の簡単な説明】
【００１４】
【図１】本発明に係る浴室の一部を示す模式的斜視図である。
【図２】浴室に表示装置が設置された状態を示す断面図である。
【図３】表示装置の外観を示す斜視図である。
【図４】表示装置の分解斜視図である。
【図５】表示部の分解斜視図である。
【図６】表示装置の一部分解斜視図である。
【図７】後カバーの斜視図である。
【図８】実施の形態１に係る後カバーの一部断面図である。
【図９】実施の形態１に係るシャーシと後カバーとの連結部分を拡大した拡大断面図である。
【図１０】実施の形態２に係るシャーシと後カバーとの連結部分を拡大した拡大断面図である。
【図１１】実施の形態３に係る後カバーの一部断面図である。
【発明を実施するための形態】
【００１５】
以下本発明をその実施の形態を示す図面に基づき具体的に説明する。
（実施の形態１）
図１は、本発明に係る浴室の一部を示す模式的斜視図である。浴室２内の壁面は、複数の壁パネル２１を用いて構成されている。浴室２は、一般的に、図示しない浴槽、洗い場、壁パネル２１を支持する複数の柱材としてのポスト、ポストの頂部を連結して設けられたつなぎ梁、つなぎ梁に支持された天井パネル、浴室出入り口、及び窓等を備えている。また、洗い場の壁面には、鏡が設けられていたり、カウンターや棚、照明器具、水栓金具、カラン、シャワー等が設けられている場合もある。浴室２内の壁の一部は、上側パネル２２と下側パネル２３とに分割されており、上側パネル２２及び下側パネル２３の間に開口部が形成されている。この開口部は、矩形であり、上下部分は上側パネル２２及び下側パネル２３の夫々の端縁によって構成されており、左右は、上側パネル２２及び下側パネル２３を支持するポストで構成されている。本発明に係る表示装置１は、上側パネル２２及び下側パネル２３の間の開口部に設置されている。
【００１６】
図２は、浴室２に表示装置１が設置された状態を示す断面図である。図２中の左が表示装置１の前方に対応し、右が表示装置１の後方に対応する。表示装置１は、前側の周縁部分が化粧パネル２４に覆われた状態で、支持フレーム２５によって、上側パネル２２及び下側パネル２３の間の開口部に埋め込まれる形で設置されている。支持フレーム２５は、開口部の各縁ごとに４つの部材で構成されており、これらの部材が溶接によって一体化されている。化粧フレーム２４は矩形枠状の被覆部材であり、上下左右の４つのアルミニウム製の化粧板とこれらを接続する接続部材とからなる。なお、化粧フレーム２４の材質は、アルミニウムに限るものではなく、他の金属でもよく、合成樹脂又はガラスでもよい。
【００１７】
図３は、表示装置の外観を示す斜視図である。表示装置１は、前後方向の長さが横方向に比べて著しく短い薄型に構成されている。表示装置１は、テレビジョン放送を受信し、液晶パネルを用いて前面に映像を表示するテレビジョン受信機である。
【００１８】
図４は、表示装置１の分解斜視図である。表示装置１は、表示パネルを含む表示部３を前カバー１１及び後カバー４で前後から挟んだ構成となっている。表示部３は本発明における電気機器に相当し、表示部３の後側が本発明における電気機器の一側に相当する。後カバー４は本発明におけるカバーに相当し、後カバー４の後面が本発明におけるカバーの外面に相当する。表示部３は薄型の直方体形状に構成されており、前カバー１１は表示部３よりも前側に配置され、後カバー４は表示部３よりも後側に配置されている。前カバー１１は、矩形の透明板に枠が一体化した構成となっており、表示部３の前側を覆っている。後カバー４は、金属製であり、矩形の略板状に形成されている。前カバー１１及び後カバー４の周縁部分はフランジになっている。
【００１９】
表示部３と前カバー１１との間には枠状のクッション部材１２が配置されている。クッション部材１２は、表示部３の前面に接触し、衝撃及び振動を緩衝させる。表示部３の下方には、表示部３の下端を覆って表示部３を下方から支持する下方支持部材１３が設けられており、表示部３の上方には、表示部３の上端を覆って表示部３を上方から支持する上方支持部材１４が設けられている。また、表示部３、下方支持部材１３及び上方支持部材１４の外側には、弾性材で構成された枠状のパッキン１５が配置されている。前カバー１１、後カバー４、クッション部１２、下方支持部材１３、上方支持部材１４及びパッキン１５は、本発明に係る筐体１０を構成している。
【００２０】
前カバー１１及び後カバー４は、クッション部１２、表示部３、下方支持部材１３、上方支持部材１４及びパッキン１５を間に挟んでいる。パッキン１５は、前カバー１１及び後カバー４のフランジの間に配置されている。前カバー１１及び後カバー４のフランジは、クッション部１２、表示部３、下方支持部材１３及び上方支持部材１４よりも外側で、パッキン１５を介在させて互いに当接している。前カバー１１及び後カバー４のフランジは、ビスで連結されている。パッキン１５は、筐体１０内への水の浸入を防止する。
【００２１】
図５は、表示部３の分解斜視図である。表示部３は、映像を表示するための液晶パネル３４を有している。矩形の液晶パネル３４の縁には、枠状のパネルガイド３３が取り付けられている。液晶パネル３４の前側には、枠状のフレーム３２と、フレーム３２の前方を覆うフレームカバー３１が配置されている。液晶パネル３４の後側には、後方から入射される光を通過、拡散及び集光させるための複数の光学シート３５が重ねて配置されている。光学シート３５の後側には、矩形の導光板３６が配置されている。導光板３６の一端面に対向する位置に光源３７１が配置されており、更に、光源３７１が固定された光源固定部材３７２が備えられている。光源３７１は、複数のＬＥＤ（発光ダイオード）が直線状に並んで構成されている。なお、光源３７１は、冷陰極管等のＬＥＤ以外の光源であってもよい。光源３７１は、導光板３６の端面へ光を入射する。導光板３６の端面へ入射した光は、導光板３６の内部を伝播し、導光板３６の前面から前方へ出射する。導光板３６の後側には、導光板３６の後側へ漏れた光を反射させる反射シート３８が配置されている。導光板３６から出射した光は、複数の光学シート３５を通過し、液晶パネル３４を後側から照明する。液晶パネル３４が光の透過量を調整することにより、映像が前側に表示される。
【００２２】
反射シート３８の後側には、板状のシャーシ５が配置されている。シャーシ５は、金属製である。光源固定部材３７２はシャーシ５に固定されている。パネルガイド３３、液晶パネル３４、光学シート３５、導光板３６及び反射シート３８は、フレーム３２とシャーシ５との間に挟まれており、フレーム３２がシャーシ５にビスで連結されていることにより、シャーシ５に固定されている。シャーシ５の後側には、光源３７１のＬＥＤを駆動させるＬＥＤドライバ３９１、ＬＥＤドライバ３９１の後側を覆うシールド３９２、表示装置１に必要な処理を実行する処理部３９３、及び図示しないリモートコントローラからの信号を受信する信号受信部３９４が取り付けられている。処理部３９３は、回路基板に信号処理回路が設けられた構成となっている。処理部３９３は、テレビジョン放送を受信する受信部、及び映像処理部等を含んでおり、テレビジョン放送を受信し、受信したテレビジョン放送に基づいた映像を表示パネル３４により表示するための処理を実行する。
【００２３】
図６は、表示装置１の一部分解斜視図である。図６は、表示装置１を後側から見た斜視図であり、後カバー４を外した状態を示している。後カバー４は、四つのビス４１で後側からシャーシ５に固定される。ビス４１は金属製である。後カバー４の後面には、四か所に、ビス４１を通すための孔４２が形成されている。シャーシ５の後面からは、ビス４１が螺入されるためのボス５１が後方へ突出している。また、孔４２は、ビス４１で後カバー４が固定された後にシール４３で塞がれる。
【００２４】
図７は、後カバー４の斜視図であり、図８は、実施の形態１に係る後カバー４の一部断面図である。図７は後カバー４を前側から見た斜視図であり、図８は図７のＶＩＩＩ−ＶＩＩＩ断面図である。図８の下方が表示装置１の前方に対応し、上方が表示装置１の後方に対応する。後カバー４は、ビス４１を後側から取り付けるための取付部４４を有しており、取付部４４は後カバー４の板状部４６から前方即ち筐体１０の内側へ突出している。取付部４４は、板状部材を前方へ突出するように屈曲させた構成となっており、上下方向に長尺の形状になっている。後カバー４は二つの取付部４４を有しており、二つの取付部４４が並列に設けられている。二つの取付部４４には、ビス４１の軸を貫通させるための孔４５が二個ずつ形成されている。取付部４４は、板状部４６とは別の部材で形成されており、板状部４６の前面に取り付けられている。
【００２５】
図９は、実施の形態１に係るシャーシ５と後カバー４との連結部分を拡大した拡大断面図である。図９の下方が表示装置１の前方に対応し、上方が表示装置１の後方に対応する。後カバー４に形成された孔４２はビス４１の頭よりも直径が大きい。ビス４１が螺入するためのボス５１は、板状のシャーシ本体５２から後方へ突出している。ビス４１は、後カバー４の取付部４４に形成された孔４５を軸が貫通し、ボス５１へ螺入される。ビス４１によって連結されることで、後カバー４がシャーシ５に固定される。ボス５１の後端には、絶縁性のスリーブ６１が配置されている。スリーブ６１は、円筒部６１２と円筒部６１２の前端に連続したフランジ部６１１とを有する形状に絶縁材で形成されている。円筒部６１２は、孔４５に内嵌しており、ビス４１の軸が貫通する。フランジ部６１１は、後側が取付部４４の孔４５の周縁部分に当接しており、前側がボス５１の後端に当接している。ボス５１と取付部４４との間に絶縁性のスリーブ６１が配置されているので、シャーシ５と後カバー４とが接触して導通することはない。
【００２６】
また、ビス４１には、絶縁性のワッシャ６２が嵌められている。ワッシャ６２は、取付部４４よりも後側に配置されており、スリーブ６１の後端に当接している。ワッシャ６２は、ビス４１の頭とスリーブ６１の後端との間で挟まれている。更に、ワッシャ６２と取付部４４との間には、環状の絶縁シート６３が配置されている。絶縁シート６３は、スリーブ６１が取付部４４の後面よりも後方へ突出した部分に外嵌し、ワッシャ６２と取付部４４の後面との間の隙間を埋めている。スリーブ６１の円筒部６１２は、取付部４４とビス４１の軸との間を絶縁しており、ワッシャ６２及び絶縁シート６３は、取付部４４とビス４１の頭との間を絶縁している。絶縁性のスリーブ６１、ワッシャ６２及び絶縁シート６３が配置されていることによって、取付部４４とビス４１との間が絶縁されている。ビス４１がボス５１へ螺入されることでビス４１とシャーシ５との間は導通するものの、取付部４４とビス４１との間が絶縁されているので、ビス４１を通じてシャーシ５と後カバー４とが導通することはない。スリーブ６１のフランジ部６１１は本発明における第１絶縁部材に相当し、円筒部６１２は本発明における第２絶縁部材に相当する。また、ワッシャ６２及び絶縁シート６３は本発明における第３絶縁部材に相当する。なお、ワッシャ６２及び絶縁シート６３は一体になっていてもよい。また、フランジ部６１１と円筒部６１２とは分離していてもよい。また、表示装置１は、スリーブ６１、ワッシャ６２及び絶縁シート６３が一体になった絶縁部材を備えた形態であってもよく、円筒部６１２から分離したフランジ部６１２に相当する絶縁部材と、スリーブ６１、ワッシャ６２及び円筒部６１２が一体になった絶縁部材とを備えた形態であってもよい。
【００２７】
ボス５１に螺入されて締結されたビス４１は、孔４２の中に完全に入り込み、ビス４１の後端は後カバー４の後面よりも前側に位置している。このような位置関係になるように、ビス４１、取付部４４、ボス５１、スリーブ６１、ワッシャ６２及び絶縁シート６３の大きさが定められている。このため、ビス４１の頭は、後カバー４の後面から後方即ち筐体１０の外側へは突出していない。更に、図８に示すように、後カバー４には、孔４２を後側から塞ぐ絶縁性のシール４３が貼着されている。
【００２８】
以上詳述したごとく、本実施の形態に係る表示装置１は、シャーシ５に金属製の後カバー４がビス４１で固定されており、シャーシ５と後カバー４との間は絶縁されている。このため、シャーシ５と後カバー４との間は導通が無く、雷等の原因で高電圧ノイズが表示装置１へ侵入した場合でも、ノイズがシャーシ５から後カバー４へ流れることがない。従って、後カバー４から浴室の構造物へノイズが流れて使用者に影響を及ぼすことも無く、表示装置１の安全性が確保されている。金属製の後カバー４を使用しながらも表示装置１の安全性が確保されているので、後カバー４に強度が必要となる浴室で表示装置１を使用することが可能となる。
【００２９】
また、本実施の形態に係る表示装置１は、後カバー４を固定するためのビス４１の頭は、後カバー４の後面から後方へは突出していない。このため、浴室２の建材にビス４１が接触することが無く、ビス４１を通じて建材へノイズが流れて使用者に影響を及ぼすことも無い。従って、表示装置１は安全性が高い。更に、ビス４１の頭は、後側から絶縁性のシール４３で覆われている。このため、浴室２の建材にビス４１が接触することがより確実に防止され、表示装置１の安全性がより確実となる。
【００３０】
（実施の形態２）
図１０は、実施の形態２に係るシャーシ５と後カバー４との連結部分を拡大した拡大断面図である。実施の形態２では、ビス４１は合成樹脂等の絶縁材製である。実施の形態１と同様に、絶縁材製のスリーブ６１が備えられている。スリーブ６１の円筒部は孔４５に内嵌しており、スリーブ６１のフランジ部は、後側が取付部４４に当接しており、前側がボス５１の後端に当接している。スリーブ６１は本発明における絶縁部材に対応する。一方で、取付部４４とビス４１との間には、絶縁部材は配置されていない。実施の形態１に比べて、部品の数が削減されている。なお、金属製のワッシャが配置されていてもよい。表示装置１、筐体１０及び浴室２のその他の部分の構成は、実施の形態１と同様である。
【００３１】
本実施の形態においても、取付部４４とボス５１との間に絶縁材製のスリーブ６１が配置されているので、シャーシ５と後カバー４とが接触して導通することはない。また、ビス４１は絶縁材製であるので、ビス４１を通じてシャーシ５と後カバー４とが導通することはない。このように、シャーシ５と後カバー４との間は絶縁されている。従って、本実施の形態においても、ノイズがシャーシ５から後カバー４及び外部の構造物へ流れることが無く、金属製の後カバー４を使用しながらも表示装置１の安全性が確保されている。
【００３２】
なお、本実施の形態においては、ビス４１の頭は後カバー４の後面から後方へ突出していてもよい。例えば、後カバー４は、取付部４４を有しておらず、板状部４６に直接に孔４５を形成してある形態であってもよい。ビス４１は絶縁性であるので、浴室２の建材にビス４１が接触したとしても、ビス４１を通じて建材へノイズが流れることは無い。従って、この形態においても、表示装置１の安全性は確保されている。
【００３３】
（実施の形態３）
実施の形態１及び２においては、後カバー４の取付部４４が板状部４６とは別の部材で構成された形態を示したが、実施の形態３においては、取付部４４を一体成型した形態を示す。図１１は、実施の形態３に係る後カバー４の一部断面図である。図１１は、図８と同様の断面を示している。板状の後カバー４の一部が、前方へ突出するように屈曲した形状になっている。実施の形態１と同様に、上下方向に長尺の二つの取付部４４が並列に設けられている。取付部４４の後側の部分は、溝状になっている。実施の形態１及び２と同様に、取付部４４には孔４５が形成されており、ビス４１が後側から孔４５を貫通して後カバー４がシャーシ５に連結されている。取付部４４は、例えば絞り加工によって形成されている。実施の形態１に比べて、部品の数が削減されている。表示装置１、筐体１０及び浴室２のその他の部分の構成は、実施の形態１又は２と同様である。
【００３４】
本実施の形態においても、シャーシ５と後カバー４との間は絶縁されている。また、本実施の形態においても、ビス４１が取付部４４に後側から取り付けられているので、ビス４１の後端は後カバー４の後面よりも前側に位置している。即ち、ビス４１の頭は、後カバー４の後面から後方へは突出していない。このため、浴室２の建材にビス４１が接触することが無く、ビス４１を通じて建材へノイズが流れることも無い。従って、金属製の後カバー４を使用しながらも表示装置１の安全性が確保されている。
【００３５】
なお、以上の実施の形態１〜３においては、取付部４４が上下方向に長尺である形態を示したが、表示装置１は、後カバー４の孔４５が形成された部分を個別に前方へ突出させた形態であってもよい。また、実施の形態１〜３においては、導光板３６の端面に対向する位置に光源３７１を配置したエッジライト型の表示装置１を示したが、表示装置１は、液晶パネル３４の後側に光源を配置した直下型のものであってもよい。また、実施の形態１〜３においては、表示パネルとして液晶パネル３４を用いた形態を示したが、表示装置１は、ＥＬ（electroluminescence）パネル等の他の表示パネルを用いた形態であってもよい。また、本発明に係る表示装置は、テレビジョン受信機以外の表示装置であってもよい。
【００３６】
また、以上の実施の形態１〜３においては、電気機器として表示装置１を筐体１０が収納する形態を示したが、本発明は筐体１０が他の電気機器を収納した形態であってもよい。例えば、筐体１０が収納する電気機器は、パーソナルコンピュータ、ゲーム機器、音響機器、冷暖房機器、照明機器、冷蔵庫又は時計であってもよい。これらは例示であって、電気機器は記載のものに限定されるものではない。これらの形態においても、電気機器からのノイズが浴室２の建材へ流れることは無く、使用者の安全が確保されている。
【００３７】
以上のように、本発明に係る筐体（１０）は、電気機器（３）を収納するための筐体（１０）において、前記電気機器（３）の一側を覆うための導電性のカバー（４）を備え、該カバー（４）は、前記電気機器（３）と絶縁した状態で、前記電気機器（３）にビス（４１）で固定されるように構成してあることを特徴とする。
【００３８】
本発明に係る筐体（１０）は、前記カバー（４）と前記電気機器（３）との間を絶縁する第１絶縁部材（６１１）と、前記カバー（４）と前記ビス（４１）の軸との間を絶縁する第２絶縁部材（６１２）と、前記カバー（４）と前記ビス（４１）の頭との間を絶縁する第３絶縁部材（６２、６３）とを更に備えることを特徴とする。
【００３９】
本発明に係る筐体（１０）は、前記ビス（４１）は絶縁性であり、前記カバー（４）と前記電気機器（３）との間を絶縁する絶縁部材（６１）を更に備えることを特徴とする。
【００４０】
本発明に係る筐体（１０）は、前記カバー（４）の前記ビス（４１）が取り付けられる部分は、前記カバー（４）の外面よりも内側へ突出しており、取り付けられた前記ビス（４１）の頭が前記カバー（４）の外面よりも外側へ突出していないことを特徴とする。
【００４１】
本発明に係る表示装置は、映像を表示する表示部（３）と、該表示部（３）を収納する本発明に係る筐体（１０）とを備えることを特徴とする。
【００４２】
本発明に係る浴室（２）は、本発明に係る筐体（１０）を壁に取り付けてあることを特徴とする。
【００４３】
本発明においては、表示部（３）等の電気機器（３）が筐体（１０）内に収納されている。筐体（１０）は、浴室（２）の壁に取り付けられる。表示部（３）が筐体（１０）に収納されて表示装置（１）が構成されている。筐体（１０）は、電気機器（３）の一側を覆うカバー（４）を備える。カバー（４）は電気機器（３）にビス（４１）で固定されており、カバー（４）と電気機器（３）との間は絶縁されている。このため、電気機器（３）に高電圧ノイズが発生した場合でも、電気機器（３）からカバー（４）へノイズが流れることはない。
【００４４】
本発明においては、カバー（４）と電気機器（３）との間には第１絶縁部材（６１１）が配置されており、カバー（４）とビス（４１）の軸との間には第２絶縁部材（６１２）が配置されており、カバー（４）とビス（４１）の頭との間には第３絶縁部材（６２、６３）が配置されている。このため、カバー（４）と電気機器（３）との間は絶縁されている。
【００４５】
本発明においては、ビス（４１）は絶縁性であり、カバー（４）の前側と電気機器（３）との間には絶縁部材（６１）が配置されている。このため、カバー（４）と電気機器（３）との間は絶縁されている。
【００４６】
本発明においては、カバー（４）の外面よりも電気機器（３）が存在する内側へ突出した部分にビス（４１）が取り付けられており、ビス（４１）の頭はカバー（４）の外面よりも外側へ突出してはいない。このため、ビス（４１）の頭が筐体（１０）外の建材に接触することは無い。
【符号の説明】
【００４７】
１  表示装置
１０  筐体
１１  前カバー
２  浴室
３  表示部（電気機器）
３４  表示パネル
３９３  処理部
４  後カバー（カバー）
４１  ビス
４２、４５  孔
４３  シール
４４  取付部
５  シャーシ
５１  ボス
６１  スリーブ（絶縁部材）
６１１  フランジ部（第１絶縁部材）
６１２  円筒部（第２絶縁部材）
６２  ワッシャ（第３絶縁部材）
６３  絶縁シート（第３絶縁部材）
【図１】
2016009756.tif 000003
【図２】
2016009756.tif 000004
【図３】
2016009756.tif 000005
【図４】
2016009756.tif 000006
【図５】
2016009756.tif 000007
【図６】
2016009756.tif 000008
【図７】
2016009756.tif 000009
【図８】
2016009756.tif 000010
【図９】
2016009756.tif 000011
【図１０】
2016009756.tif 000012
【図１１】
2016009756.tif 000013